(57)【要約】【課題】パネルに接続された配線を誤って断線することなく取り外すことができる遊技機を提供することができる。【解決手段】フロントパネル８の背面側Ｒにおいて、突起部１０２の係止孔部１０３が可動部材１３０の係止部１３３より係止されると、コネクタ部１０１を覆っていた遮蔽部１３２が移動してコネクタ部１０１が露出され、コネクタ部１０１に配線が接続される。このとき、遮蔽部１３２が接続された配線２００に当接し、可動部材１３０の移動が規制される。【選択図】図１４
2010005381.tif 000002
【特許請求の範囲】
【請求項１】
遊技に用いられる機器を収容する筐体と、
前記筐体の一面側に開閉自在に取り付けられるドア本体と、
前記ドア本体における前記筐体側に向かう面とは反対側の面であり、前記ドア本体に取り付けられるパネル部と、を備え、
前記パネル部は、
配線が接続されるコネクタ部と、
前記パネル部における前記ドア本体側の面に突出するように形成された被係止部と、を有し、
前記ドア本体は、
前記ドア本体を貫通し、前記ドア本体の前記筐体側の面に前記コネクタ部を露出させる第１開口部と、
前記ドア本体を貫通して、前記反対側の面から前記筐体側の面へ前記被係止部を通す第２開口部と、
前記ドア本体の前記筐体側の面に配置され、前記被係止部を係止する係止部と、前記第１開口部により露出された前記コネクタ部の少なくとも一部を覆う遮蔽部と、
前記ドア本体の前記筐体側の面で前記係止部が前記被係止部に係止する第１の位置と、前記係止部と前記被係止部との係止が解除された第２の位置とに移動可能に配置された可動部材と、を有し、
前記可動部材を前記第１の位置に移動させた場合に、前記遮蔽部により覆われた前記コネクタ部が開放され、該コネクタ部に前記配線が接続された場合に、該配線は前記遮蔽部と当接することにより、前記可動部材が前記第２の位置へ移動することを規制することを特徴とする遊技機。
【請求項２】
遊技に用いられる機器を収容する筐体と、
前記筐体の一面側に開閉自在に取り付けられるドア本体と、
前記ドア本体における前記筐体側に向かう面とは反対側の面であり、前記ドア本体に取り付けられるパネル部と、を備え、
前記パネル部は、
配線が接続されるコネクタ部と、
前記パネル部における前記ドア本体側の面に突出するように形成され、孔状に設けられた被係止部を有する突起部と、を有し、
前記ドア本体は、
前記ドア本体を貫通し、前記ドア本体の前記筐体側の面に前記コネクタ部を露出させる第１開口部と、
前記ドア本体を貫通して、前記反対側の面から前記筐体側の面へ前記突起部を通す第２開口部と、
前記ドア本体の前記筐体側の面に配置され、直線状に移動する可動部材と、を有し、
前記可動部材は、
可動部材本体と、
前記可動部材本体において前記直線方向のいずれか一方に設けられ、前記被係止部を係止する係止部と、
前記可動部材本体において前記直線方向に対する垂直方向に突出し、前記第１開口部の少なくとも一部を覆う遮蔽部と、を有し、
前記係止部は、
前記係止部先端から前記可動部材本体側へ向けて所定の長さにかけて形成されたロック部と、
前記ロック部と離間して設けられ、前記突出部の幅よりも前記垂直方向に突出した凸部と、
前記凸部とロック部との間であって、前記被係止部が有する幅の長さと略同一の距離で互いに略平行に離間して設けられるロック支持部と、を有し、
前記ドア本体の前記筐体側の面で前記係止部が前記被係止部に係止する第１の位置に前記可動部材を移動させた場合に、前記遮蔽部により覆われた前記コネクタ部が開放され、
該コネクタ部に前記配線が接続された場合に、該配線は、前記遮蔽部と当接することにより、前記係止部と前記被係止部との係止が解除された第２の位置へ前記可動部材が移動することを規制することを特徴とする遊技機。
【請求項３】
遊技に用いられる機器を収容する筐体と、
前記筐体の一面側に開閉自在に取り付けられるドア本体と、
前記ドア本体における前記筐体側に向かう面とは反対側の面であり、前記ドア本体に取り付けられるパネル部と、を備え、
前記パネル部は、
配線が接続されるコネクタ部と、
前記パネル部における前記ドア本体側の面に突出するように形成され、孔状に設けられた被係止部を有する突起部と、を有し、
前記ドア本体は、
前記ドア本体を貫通し、前記ドア本体の前記筐体側の面に前記コネクタ部を露出させる第１開口部と、
前記ドア本体を貫通して、前記反対側の面から前記筐体側の面へ前記突起部を通す第２開口部と、
前記ドア本体の前記筐体側の面に配置され、直線状に移動する可動部材と、
前記可動部材を前記ドア本体にスライド可能に固定する固定部と、を有し、
前記可動部材は、
可動部材本体と、
前記可動部材本体において前記直線方向のいずれか一方に設けられ、前記被係止部を係止する係止部と、
前記可動部材本体において前記直線方向に対する垂直方向に突出し、前記第１開口部の少なくとも一部を覆う遮蔽部と、を有し、
前記係止部は、
前記係止部先端から前記可動部材本体側へ向けて所定の長さにかけて形成されたロック部と、
前記ロック部と離間して設けられ、前記突出部の幅よりも前記垂直方向に突出した凸部と、
前記凸部とロック部との間であって、前記被係止部が有する幅の長さと略同一の距離で互いに略平行に離間して設けられるロック支持部と、を有し、
前記ドア本体の前記筐体側の面で前記係止部が前記被係止部に係止する第１の位置に前記可動部材を移動させた場合に、前記遮蔽部により覆われた前記コネクタ部が開放され、
該コネクタ部に前記配線が接続された場合に、該配線は、前記遮蔽部と当接することにより、前記係止部と前記被係止部との係止が解除された第２の位置へ前記可動部材が移動することを規制することを特徴とする遊技機。
【発明の詳細な説明】
【技術分野】
【０００１】
本発明は、フロントドアに配置されたパネルを取り外し可能な遊技機において、パネルに接続された配線を誤って断線することなく取り外すことができる遊技機に関するものである。
【背景技術】
【０００２】
従来のスロットゲームを実行する遊技機には、複数の表示窓の裏面側に配置され、外周面に複数のシンボルが描かれ、回転する円形の機械式リールを有するものや、ディスプレイにリールに相当する複数のシンボル表示領域を設け、このシンボル表示領域に所定数のシンボルを表示したビデオ式リールを用いたものが存在する。機械式リールを有する遊技機の場合、複数の表示窓がシンボル表示領域に相当し、表示窓を通してリールの外周面に描かれた所定数のシンボルが視認可能となっている。
【０００３】
このような遊技機においては、筐体側にリールを格納し、筐体の一面側にリールが視認可能な表示領域を設けたドアが配置される。遊技機において、このドアが配置される面が、通常、遊技者が遊技機を操作する面となり、フロント側となる。このドア（以下、フロントドアという）は開閉可能となっており、管理者がフロントドアを開けて遊技機のメンテナンス等を行うこととなる。
【０００４】
フロントドアには、そのフロント側に、装飾用又は当該遊技機において提供されるゲームの演出用の各種ランプやスピーカ、装飾用部材が配置されるパネル部が設けられる。これらのパネル部は、フロントドアと一体的に形成されるものや、例えば、特許文献１のように、ドア基枠に取り付けられた上部パネル体を上部パネル取付部に着脱自在に取り付けた遊技機のフロントドアに係る発明が提案されている（例えば、特許文献１参照）。
【先行技術文献】
【特許文献】
【０００５】
【特許文献１】特開２００２−１１１３８号公報
【発明の概要】
【発明が解決しようとする課題】
【０００６】
ここで、上部パネル体にランプ基板等が設けられている場合には、上部パネル体を遊技機から取り外すときに、ランプとフロントドアに設けられた基板とをつなぐ配線を外す必要がある。遊技機には多数の配線が接続されており、どの配線が予め外すべき配線であるかがわかりにくい。そして、修理等の担当者が上部パネル体を外す際に配線が接続されていることを失念し、配線を抜かずに上部パネル体を外して配線が切断されてしまったり、配線の内部で断線したりするという問題があった。
【０００７】
そこで、本発明は、パネルに接続された配線を誤って断線することなく取り外すことができる遊技機を提供することを目的とする。
【課題を解決するための手段】
【０００８】
（１）遊技に用いられる機器を収容する筐体と、前記筐体の一面側に開閉自在に取り付けられるドア本体と、前記ドア本体における前記筐体側に向かう面とは反対側の面であり、前記ドア本体に取り付けられるパネル部と、を備え、前記パネル部は、配線が接続されるコネクタ部と、前記パネル部における前記ドア本体側の面に突出するように形成された被係止部と、を有し、前記ドア本体は、前記ドア本体を貫通し、前記ドア本体の前記筐体側の面に前記コネクタ部を露出させる第１開口部と、前記ドア本体を貫通して、前記反対側の面から前記筐体側の面へ前記被係止部を通す第２開口部と、前記ドア本体の前記筐体側の面に配置され、前記被係止部を係止する係止部と、前記第１開口部により露出された前記コネクタ部の少なくとも一部を覆う遮蔽部と、前記ドア本体の前記筐体側の面で前記係止部が前記被係止部に係止する第１の位置と、前記係止部と前記被係止部との係止が解除された第２の位置とに移動可能に配置された可動部材と、を有し、前記可動部材を前記第１の位置に移動させた場合に、前記遮蔽部により覆われた前記コネクタ部が開放され、該コネクタ部に前記配線が接続された場合に、該配線は、前記遮蔽部と当接することにより、前記可動部材が前記第２の位置へ移動することを規制することを特徴とする遊技機。
【０００９】
（１）に記載の発明によれば、パネル部とドア本体とが取り付けられた場合、パネル部において、ドア本体側へ突出するように形成された被係止部は、第２開口部を通ってドア本体における筐体側の面に露出する。また、パネル部に設けられており、配線を接続するコネクタ部は、第１開口部を通ってドア本体における筐体側の面に露出する。そして、可動部材は、ドア本体の筐体側の面において、係止部が被係止部を係止する第１の位置と、係止部と被係止部との係止が解除された第２の位置とに移動可能に配置されている。
ドア本体の筐体側の面において、可動部材を第１の位置に移動させた場合に、可動部材の遮蔽部に覆われたコネクタ部が開放される。この状態でコネクタ部に配線が接続されると、配線は、遮蔽部と当接し、可動部材が第２の位置に移動することを規制する。これにより、コネクタ部に接続された配線を外さなければ、可動部材の係止部とパネル部の突起部にある被係止部との係止が解除されないため、ドア本体からパネル部自体を外すことができない。このため、配線の抜き忘れを防止することができる。
【００１０】
（２）遊技に用いられる機器を収容する筐体と、前記筐体の一面側に開閉自在に取り付けられるドア本体と、前記ドア本体における前記筐体側に向かう面とは反対側の面であり、前記ドア本体に取り付けられるパネル部と、を備え、前記パネル部は、配線が接続されるコネクタ部と、前記パネル部における前記ドア本体側の面に突出するように形成され、孔状に設けられた被係止部を有する突起部と、を有し、前記ドア本体は、前記ドア本体を貫通し、前記ドア本体の前記筐体側の面に前記コネクタ部を露出させる第１開口部と、前記ドア本体を貫通して、前記反対側の面から前記筐体側の面へ前記突起部を通す第２開口部と、前記ドア本体の前記筐体側の面に配置され、直線状に移動する可動部材と、を有し、前記可動部材は、可動部材本体と、前記可動部材本体において前記直線方向のいずれか一方に設けられ、前記被係止部を係止する係止部と、前記可動部材本体において前記直線方向に対する垂直方向に突出し、前記第１開口部の少なくとも一部を覆う遮蔽部と、を有し、前記係止部は、前記係止部先端から前記可動部材本体側へ向けて所定の長さにかけて形成されたロック部と、前記ロック部と離間して設けられ、前記突出部の幅よりも前記垂直方向に突出した凸部と、前記凸部とロック部との間であって、前記被係止部が有する幅の長さと略同一の距離で互いに略平行に離間して設けられるロック支持部と、を有し、前記ドア本体の前記筐体側の面で前記係止部が前記被係止部に係止する第１の位置に前記可動部材を移動させた場合に、前記遮蔽部により覆われた前記コネクタ部が開放され、該コネクタ部に前記配線が接続された場合に、該配線は、前記遮蔽部と当接することにより、前記係止部と前記被係止部との係止が解除された第２の位置へ前記可動部材が移動することを規制することを特徴とする遊技機。
【００１１】
（２）に記載の発明によれば、パネル部とドア本体とが取り付けられた場合、パネル部において、ドア本体側へ突出するように形成された被係止部は、第２開口部を通ってドア本体における筐体側の面に露出する。また、パネル部に設けられており、配線を接続するコネクタ部は、第１開口部によりドア本体における筐体側の面に露出する。そして、可動部材は、ドア本体の筐体側の面において、係止部が被係止部を係止する第１の位置と、係止部と被係止部との係止が解除された第２の位置とに移動可能に配置されている。また、可動部材は、可動部材本体と係止部と遮蔽部とにより構成される。係止部は、さらに突起部の被係止部に差し込まれ、抜けないようにロックするロック部と、可動部材の動く方向に対して垂直方向に突出した凸部と、ロック部と凸部との間に設けられ、被係止部に差し込むことができる幅で互いに略平行に離間しており、弾性を有するロック支持部で構成される。
ドア本体の筐体側の面において、可動部材を第１の位置に移動させた場合に、可動部材の遮蔽部に覆われたコネクタ部が開放される。この状態のとき、第２開口部に露出している突起部の被係止部に係止部のロック支持部及びロック部が差し込まれ、凸部により、凸部より先には被係止部に差し込まれないよう動きが規制される。また、ロック部と凸部により直線状に可動部材が動かないように規制される。ロック支持部は弾性を有するので、被係止部にロック部が差し込まれたときに、離間した互いの距離が短くなったとしても、その弾性により、容易に元に戻ることができ、操作が簡便である。
次に、コネクタ部に配線が接続されると、配線は、遮蔽部と当接し、可動部材が第２の位置に移動することを規制する。これにより、コネクタ部に接続された配線を外さなければ、可動部材の係止部とパネル部の突起部にある被係止部との係止が解除されないため、ドア本体からパネル部自体を外すことができない。このため、配線の抜き忘れを防止することができる。
【００１２】
（３）遊技に用いられる機器を収容する筐体と、前記筐体の一面側に開閉自在に取り付けられるドア本体と、前記ドア本体における前記筐体側に向かう面とは反対側の面であり、前記ドア本体に取り付けられるパネル部と、を備え、前記パネル部は、配線が接続されるコネクタ部と、前記パネル部における前記ドア本体側の面に突出するように形成され、孔状に設けられた被係止部を有する突起部と、を有し、前記ドア本体は、前記ドア本体を貫通し、前記ドア本体の前記筐体側の面に前記コネクタ部を露出させる第１開口部と、前記ドア本体を貫通して、前記反対側の面から前記筐体側の面へ前記突起部を通す第２開口部と、前記ドア本体の前記筐体側の面に配置され、直線状に移動する可動部材と、前記可動部材を前記ドア本体にスライド可能に固定する固定部と、を有し、前記可動部材は、可動部材本体と、前記可動部材本体において前記直線方向のいずれか一方に設けられ、前記被係止部を係止する係止部と、前記可動部材本体において前記直線方向に対する垂直方向に突出し、前記第１開口部の少なくとも一部を覆う遮蔽部と、を有し、前記係止部は、前記係止部先端から前記可動部材本体側へ向けて所定の長さにかけて形成されたロック部と、前記ロック部と離間して設けられ、前記突出部の幅よりも前記垂直方向に突出した凸部と、前記凸部とロック部との間であって、前記被係止部が有する幅の長さと略同一の距離で互いに略平行に離間して設けられるロック支持部と、を有し、前記ドア本体の前記筐体側の面で前記係止部が前記被係止部に係止する第１の位置に前記可動部材を移動させた場合に、前記遮蔽部により覆われた前記コネクタ部が開放され、該コネクタ部に前記配線が接続された場合に、該配線は、前記遮蔽部と当接することにより、前記係止部と前記被係止部との係止が解除された第２の位置へ前記可動部材が移動することを規制することを特徴とする遊技機。
【００１３】
（３）に記載の発明によれば、パネル部とドア本体とが取り付けられた場合、パネル部において、ドア本体側へ突出するように形成された被係止部は、第２開口部を通ってドア本体における筐体側の面に露出する。また、パネル部に設けられており、配線を接続するコネクタ部は、第１開口部によりドア本体における筐体側の面に露出する。そして、可動部材は、ドア本体の筐体側の面において、係止部が被係止部を係止する第１の位置と、係止部と被係止部との係止が解除された第２の位置とに移動可能に配置されている。また、可動部材は、固定部によりスライド可能に固定されているので、スライドする方向、つまり直線状に可動部材が動くこととなる。可動部材は、可動部材本体と係止部と遮蔽部とで構成される。係止部は、さらに突起部の被係止部に差し込まれ、抜けないようにロックするロック部と、可動部材の動く方向に対して垂直方向に突出した凸部と、ロック部と凸部との間に設けられ、被係止部に差し込むことができる幅で互いに略平行に離間しており、弾性を有するロック支持部で構成される。
ドア本体の筐体側の面において、可動部材を第１の位置に移動させた場合に、可動部材の遮蔽部に覆われたコネクタ部が開放される。この状態のとき、第２開口部に露出している突起部の被係止部に係止部のロック支持部及びロック部が差し込まれ、凸部により、凸部より先には被係止部に差し込まれないよう動きが規制される。また、ロック部と凸部により直線状に可動部材が動かないように規制される。ロック支持部は弾性を有するので、被係止部にロック部が差し込まれたときに、離間した互いの距離が短くなったとしても、その弾性により、容易に元に戻ることができ、操作が簡便である。
次に、コネクタ部に配線が接続されると、配線は、遮蔽部と当接し、可動部材が第２の位置に移動することを規制する。これにより、コネクタ部に接続された配線を外さなければ、可動部材の係止部とパネル部の突起部にある被係止部との係止が解除されないため、ドア本体からパネル部自体を外すことができない。このため、配線の抜き忘れを防止することができる。
【発明の効果】
【００１４】
本発明によれば、パネルに接続された配線を誤って断線することなく取り外すことができる遊技機を提供することができる。
【図面の簡単な説明】
【００１５】
【図１】本発明の一実施形態に係る遊技機の正面図である。
【図２】本発明の一実施形態に係る遊技機の外観斜視図である。
【図３】本発明の一実施形態に係る遊技機のフロントドアの分解図である。
【図４】本発明の一実施形態に係る遊技機の主制御回路のブロック図である。
【図５】本発明の一実施形態に係る遊技機のフロントパネルの斜視背面図である。
【図６】本発明の一実施形態に係る遊技機のフロントドアに液晶表示装置を取り付けた場合の前面側から見た斜視図である。
【図７】図６のスリット部の部分拡大図である。
【図８】図６のＡ−Ａ断面の斜視図である。
【図９】図６のＡ−Ａ断面である。
【図１０】本発明の一実施形態に係る遊技機のフロントドアに液晶表示装置を取り付けた場合の斜視背面図である。
【図１１】本発明の一実施形態に係る遊技機の可動部材の拡大図である。
【図１２】図１０の可動部材付近のＢ−Ｂ断面拡大図である。
【図１３】本発明の一実施形態に係る遊技機のフロントドアの背面であって、可動部材付近の拡大図である。
【図１４】本発明の一実施形態に係る遊技機のフロントドアの背面であって、可動部材付近の拡大図である。
【図１５】本発明の一実施形態に係る遊技機のフロントドアの背面側であって、可動部材付近の拡大図である。
【発明を実施するための形態】
【００１６】
以下、本発明に係る実施形態について、図面に基づいて説明する。
【００１７】
本発明の遊技機に係る実施の形態について、以下、図面を参照しながら説明する。はじめに、図１から図３を参照して、本実施の形態における遊技機（以下、パチスロという）１の機能フローについて説明する。図１は、パチスロ１の正面図であり、図２はパチスロ１の斜視図である。図３は、パチスロ１のフロントドア２の分解図である。
【００１８】
パチスロ１は、リール３Ｌ，３Ｃ，３Ｒや回路基板等を収容する筐体となるキャビネット１ａと、キャビネット１ａの前面側Ｆ（図２におけるＦ側）に対して開閉可能に取り付けられるフロントドア２とフロントドア２の前面側Ｆにパネル部となるフロントパネル８とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄が回転方向に沿って連続的に配置された帯状のシートを貼り付けて構成されている。
【００１９】
フロントドア２は、ドア本体の部分であり、フロントドア２の中央には、液晶表示装置５が設けられている。液晶表示装置５は、図３に示すように、フロントドア２の前面側Ｆであって、フロントドア２とフロントパネル８との間に設けられる。液晶表示装置５は、取付枠５２により、フロントドア２の上側Ｔ（図３のＴ側）の部分に固定される。
【００２０】
また、液晶表示装置５は、図柄表示領域２１Ｌ，２１Ｃ，２１Ｒを含む表示画面５ａを備え、正面から見て３つのリール３Ｌ，３Ｃ，３Ｒに重畳する手前側（図２におけるＦ側）に位置するように設けられている。図柄表示領域２１Ｌ，２１Ｃ，２１Ｒは、３つのリール３Ｌ，３Ｃ，３Ｒのそれぞれに対応して設けられており、その背面側Ｒ（図２におけるＲ側）に設けられたリール３Ｌ，３Ｃ，３Ｒを透過することが可能な構成を備えている。
【００２１】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。また、本実施の形態では、図柄表示領域２１Ｌ，２１Ｃ，２１Ｒを含めた表示画面５ａの全体を使って、映像の表示が行われ、演出が実行される。
【００２２】
図柄表示領域２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各図柄表示領域２１Ｌ，２１Ｃ，２１Ｒが有する上段、中段及び下段からなる３つの領域のうち予め定められたいずれかをそれぞれ組合せてなる擬似的なラインを、入賞か否かの判定を行う対象となるライン（入賞判定ライン）として定義する。
【００２３】
フロントドア２には、遊技者による操作の対象となる各種装置が設けられている。メダル投入口１０は、遊技者によって外部から投下されるメダルを受け入れるために設けられる。メダル投入口１０に受け入れられたメダルは、所定枚数（例えば３枚）を上限として１回の遊技に投入され、所定枚数を超えた分はパチスロ１内部に預けることが可能となる（いわゆるクレジット機能）。
【００２４】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００２５】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００２６】
ランプ（ＬＥＤ等）１４は、演出内容に応じた点消灯のパターンにて光を出力する。スピーカ９Ｌ，９Ｒは、演出内容に応じた効果音や楽曲等の音を出力する。メダル払出口１５は、排出されるメダルを外部に導く。メダル払出口１５から排出されたメダルは、メダル受皿１６に貯められる。
【００２７】
次に、図４を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。
【００２８】
図４は、本実施の形態におけるパチスロ１の主制御回路７１の構成を示す。
【００２９】
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００３０】
メインＲＯＭ３２には、メインＣＰＵ３１により実行される制御プログラム、データテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００３１】
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００３２】
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００３３】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００３４】
マイクロコンピュータ３０により動作が制御される周辺装置としては、ステッピングモータ４９Ｌ，４９Ｃ，４９Ｒ、７セグ表示器１３及びホッパー４０がある。また、マイクロコンピュータ３０の出力ポートには、各周辺装置の動作を制御するための回路が接続されている。
【００３５】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００３６】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力されるごとに、リール３Ｌ，３Ｃ，３Ｒは一定の角度で回転する。
【００３７】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００３８】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００３９】
副制御回路７２は、主制御回路７１と電気的に接続されており、主制御回路７１から送信されるコマンドに基づいて演出内容の決定や実行等の処理を行う。副制御回路７２には、液晶表示装置５、スピーカ９Ｌ，９Ｒ、ランプ１４が接続されており、主制御回路７１から送信されたコマンドに応じてこれらのアクチュエータを制御する。
【００４０】
以下、図２、図３及び図５を用いてフロントパネル８について説明する。
図５はフロントパネル８を背面側Ｒから見た斜視図である。
フロントパネル８は、パチスロ１が提供する遊技の題材に合わせて意匠が施される装飾用パネルである。フロントパネル８は、フロントドア２の前面側Ｆに配置される。また、フロントパネル８は、液晶表示装置５の前面側Ｆに設けられ、フロントドア２の上側（図２におけるＴ側）であって、液晶表示装置５を覆うように配置される。
【００４１】
フロントパネル８は、パネル本体８１とパネル本体８１の略中央を中心に設けられたメイン表示窓８２とで構成される。パネル本体８１は、フロントパネル８の本体部分であり、ランプ１４や装飾用の飾り等が設けられる。メイン表示窓８２は、パネル本体８１の大部分を占める領域を有し、フロントパネル８の背面側Ｒに配置された液晶表示装置５を露出させる窓である。すなわち、フロントパネル８が液晶表示装置５の前面側Ｆに配置された場合、前面側Ｆから見て、メイン表示窓８２から視認できる液晶表示装置５の範囲が表示画面５ａとなる。
【００４２】
また、フロントパネル８の前面側Ｆには、装飾や演出用のランプ１４やその他の意匠的な装飾部品が設けられる。ランプ１４は、フロントパネル８のＦ側からランプの光を視認可能に設けられ、遊技中の演出や報知等に用いられる。（図１、図２参照）。
【００４３】
図５を参照して、フロントパネル８の背面側Ｒについて説明する。
フロントパネル８の背面側Ｒには、ランプ１４等の電力を使用する部品に対してフロントドア２側から電力の供給や制御信号を受け取るためのコネクタ部１０１や、フロントパネル８をフロントドア２に取り付けるためのフック部６１や突起部１０２等が設けられている。
【００４４】
コネクタ部１０１は、フロントパネル８に設けられたランプ１４等へ電力やフロントドア２の副制御回路７２からの制御信号を供給する配線を接続するための接続部である。
本実施形態においては、コネクタ部１０１は、フロントパネル８における下側Ｂ（図５におけるＢ側）に設けられており、フロントドア２側から延びる配線２００（図１４参照）が接続される。また、コネクタ部１０１は、フロントパネル８がフロントドア２に取り付けられた場合に、フロントドア２おいて対向する位置に設けられた第１開口部１１１（図６参照）により、フロントドア２の背面側Ｒに露出する。詳細には後述する。
【００４５】
突起部１０２は、フロントパネル８における下側Ｂであって、コネクタ部１０１近傍に設けられる。また、突起部１０２は、フロントパネル８の背面側Ｒから、さらに背面側Ｒ方向に（つまり、フロントドア２に向かって）突出するように形成される。この突起部１０２は、フロントパネル８がフロントドア２に取り付けられた場合に、フロントドア２に設けられた第２開口部１１２（図６参照）を貫通してフロントドア２の背面側Ｒにも突出する。
【００４６】
また、突起部１０２には、突起部１０２の先端近傍に被係止部となる係止孔部１０３が設けられる。言い替えると、被係止部となる係止孔部１０３がフロントパネル８の背面側Ｒから突出し、突起部１０２を形成しているともいえる。係止孔部１０３は、フロントドア２の背面側Ｒに配置された可動部材１３０の係止部１３３（図１０参照）により係止される。詳細には後述する。
【００４７】
フロントパネル８の左側（図５におけるＬ側）及び右側（図５におけるＲ２側）には、フック部６１が設けられている。フック部６１は、本実施形態においては、フロントパネル８の左側Ｌ及び右側Ｒ２両端近傍であって、上下方向（図５におけるＴ−Ｂ方向、以下、上下方向という）に沿って、それぞれ片側に２カ所ずつ離間して形成される。詳細には、フロントパネル８の右側Ｒ２にはフック部６１ａ及び６１ｂが形成され、フロントパネル８の左側Ｌには、フック部６１ｃ及びフック部６１ｄが形成される（以下、フック部６１と記載するときは、４つのフック部６１ａ，６１ｂ，６１ｃ，６１ｄを含むものとする）。そして、フック部６１は、フロントパネル８のパネル本体８１に形成されたフック支持部８３から、フロントドア２の方向（背面側Ｒ）に向かって突出するように形成される。
【００４８】
また、フック部６１は、それぞれ、フック部６１の先端部となるフック先端部６２が下側Ｂの方向を向くように形成される（図９参照）。つまり、フック部６１のフック先端部６２からフック状に湾曲した部分であるフック曲部６３は、フック先端部６２よりも上側Ｔに位置するように形成される。
【００４９】
フック部６１は、フック先端部６２からフック曲部６３を経て、さらにフック支持部８３（フロントパネル８側）に向かう部分が徐々にふくらむように形成されたフック基部６４を有する（図８、図９参照）。フック基部６４は、フック支持部８３からフック曲部６３にかけて、なめらかな曲線で形成される。また、フック基部６４におけるフック先端部６２と対向する部分は、フック先端部６２と略平行になるように形成される。
【００５０】
図６及び図７を参照してフロントドア２の前面側Ｆについて説明する。図６は、フロントドア２に液晶表示装置５を取り付けた状態を前面側Ｆから見た場合の斜視図である。図７は、図６におけるスリット部１２１ａの部分拡大図である。
【００５１】
フロントドア２の前面側Ｆであって、フロントドア２における液晶表示装置５を囲む枠部分のうち、左側Ｌの枠及び右側Ｒ２の枠部分には、スリット部１２１ａ，１２１ｂ，１２１ｃ，１２１ｄが形成される（以下、スリット部１２１と記載するときは、４つのスリット部１２１ａ，１２１ｂ，１２１ｃ，１２１ｄを含むものとする）。右側Ｒ２の枠部分には、スリット部１２１ａ，１２１ｂが形成され、左側Ｌの枠部分には、スリット部１２１ｃ，１２１ｄが形成される。
【００５２】
スリット部１２１は、フロントドア２における液晶表示装置５を囲む枠部分に形成されるスリット１２２と、スリット１２２の下側Ｂに設けられた被係合部１２３とにより構成される（図７）。スリット１２２は、左右の方向（図６、図７におけるＬ−Ｒ２方向、以下左右方向とする）の長さよりも上下方向の長さが大きい、いわゆる縦長の矩形状である。また、被係合部１２３は、フロントパネル８のフック部６１と係合する部分である。
【００５３】
そして、被係合部１２３は、スリット１２２よりも前面側Ｆに突出するように形成される（図７）。また、断面から見ると（図８及び図９参照）、背面側Ｒにおいて、スリット１２２から被係合部１２３の先端にかけて凹部を形成する。また、被係合部１２３の先端部分は、スリット１２２及びフロントドア２と略平行となるように形成される。
【００５４】
図８及び図９を参照して、フック部６１とスリット部１２１との係合について説明する。
図８は、フロントドア２にフロントパネル８を取り付けた場合のＡ−Ａ斜視断面図である。また、図９は、フロントドア２にフロントパネル８を取り付けた場合のＡ−Ａ断面図である。
【００５５】
このスリット部１２１ａ，１２１ｂ，１２１ｃ，１２１ｄは、上述の４つのフック部６１ａ，６１ｂ，６１ｃ，６１ｄにそれぞれ対向する位置に形成され、対向するスリット部１２１ａ，１２１ｂ，１２１ｃ，１２１ｄにフック部６１ａ，６１ｂ，６１ｃ，６１ｄがそれぞれ挿入される。そして、各フック部６１は、スリット部１２１の被係合部に係合する。
【００５６】
このとき、フック部６１におけるフック先端部６２とフック基部６４とは略平行であるため、フック先端部６２、フック曲部６３及びフック基部６４の内側に形成される凹部は、アルファベットの‘Ｕ'の字状となる。また、被係合部１２３の先端部分においても、前面側Ｆの面と背面側Ｒの面とは互いに略平行に形成される。そして、この凹部にスリット部１２１の被係合部１２３の先端部分がフック部６１に係合すると、被係合部１２３の先端部分は、フック部６１の内側に形成された凹部により隙間無く支持される。これにより、フック部６１のフック先端部６２は被係合部１２３に堅固に係合することができる。
【００５７】
そして、各スリット部１２１ａ，１２１ｂ，１２１ｃ，１２１ｄに各フック部６１ａ，６１ｂ，６１ｃ，６１ｄがそれぞれ係合することにより、フロントパネル８はフロントドア２の前面側Ｆに固定される。
【００５８】
図１０から図１５を用いて、フロントパネル８の突起部１０２及びフロントドア２の可動部材１３０について説明する。図１０は、フロントドア２の背面図である。図１１は、可動部材１３０の拡大図である。図１２は、図１０のＢ−Ｂ断面拡大図である。図１３から図１５は、フロントドア２の背面側Ｒに配置された可動部材１３０近辺の部分拡大図である。
【００５９】
図１０は、フロントドア２に液晶表示装置５及びフロントパネル８を取り付けた場合の背面図である。フロントドア２の上側Ｔに液晶表示装置５が嵌め込まれており、液晶表示装置５の背面側Ｒに配置された図柄表示領域２１Ｌ，２１Ｃ，２１Ｒを示す表示枠がリール表示枠５３から視認可能となっている。
【００６０】
リール表示枠５３の下方側Ｂには、第１開口部１１１と第２開口部１１２とが形成される。第１開口部１１１は、本実施形態においては、図柄表示領域２１Ｌの下方側Ｂに形成され、左右方向（図１０のＲ２−Ｌ方向）に長い略矩形状の開口部である。また、第１開口部１１１は、フロントドア２にフロントパネル８を取り付けた場合におけるフロントパネル８のコネクタ部１０１と対向する位置に形成される。したがって、フロントパネル８をフロントドア２に取り付けると、第１開口部１１１は、フロントドア２の背面側Ｒにコネクタ部１０１を露出させる。
【００６１】
第２開口部１１２は、図柄表示領域２１Ｌの下方側Ｂに形成される。また、第２開口部１１２は、第１開口部１１１の近傍に形成される。この第２開口部１１２は、フロントドア２にフロントパネル８を取り付けた場合におけるフロントパネル８の突起部１０２と対向する位置に形成される。したがって、フロントドア２にフロントパネル８を取り付けると、第２開口部１１２を通って突起部１０２がフロントドア２の背面側Ｒに突出した状態となる。
【００６２】
また、第２開口部１１２の上方Ｔには、可動部材１３０が配置されており、固定部１３７でフロントドア２にスライド可能に固定されている。
【００６３】
図１１及び図１２を参照して、可動部材１３０について説明する。
図１１は、可動部材の拡大図であり、図１２は、図１０の可動部材付近のＢ−Ｂ断面拡大図である。
【００６４】
可動部材１３０は、上下方向に長い略楕円状に形成された可動部材本体１３１と、上下方向に対して略垂直方向に延びる遮蔽部１３２と、可動部材本体１３１の下方側Ｂ端部に形成された係止部１３３と、により構成される。
【００６５】
可動部材本体１３１は、上下方向に長い略楕円状に形成されており、固定部１３７によりフロントドア２の背面側Ｒに固定される部分である。可動部材本体１３１は、また、固定部１３７によりスライド可能に固定される部分である。本実施形態においては、可動部材本体１３１は、上下方向にスライド可能に固定される（図１３から図１５参照）。詳細は後述する。
【００６６】
遮蔽部１３２は、可動部材本体１３１の側面から、可動部材本体１３１のスライド方向（上下方向）に対して垂直方向に延びるように形成される。遮蔽部１３２は、可動部材１３０をフロントドア２の背面側Ｒに取り付けた場合において、第１開口部１１１の少なくとも一部を遮蔽する（図１３から図１５参照）。また、さらにフロントドア２にフロントパネル８が取り付けられている場合には、遮蔽部１３２は、フロントドア２の背面側Ｒから見て、第１開口部１１１から露出するコネクタ部１０１を覆う部分に位置する。
【００６７】
係止部１３３は、可動部材本体１３１の上下方向の一端側に形成され、第２開口部１１２を通ってフロントドア２の背面側に突出した突起部１０２の係止孔部１０３を係止する。本実施形態においては、係止部１３３は可動部材本体１３１の下側Ｂに形成される。
【００６８】
また、係止部１３３は、可動部材１３０の下方側Ｂ端部に形成されたロック部１３６と、可動部材本体１３１の下側Ｂに形成された凸部１３４と、凸部１３４とロック部１３６との間であって、ロック部１３６を支持するロック支持部１３５と、を備える。
【００６９】
凸部１３４は、可動部材本体１３１の下方側Ｂに形成され、可動部材本体１３１の左右方向（幅方向）の長さよりも、左右方向に長くなるように形成される。言い替えると、凸部１３４は、可動部材本体１３１の両側に、可動部材本体１３１の左右方向に向けて突出するように形成される。
【００７０】
ロック支持部１３５及びロック部１３６は、凸部１３４の下側Ｂに形成される。これらは、突起部１０２が第２開口部１１２を通ってフロントドア２の背面側に突出した状態のときに、突起部１０２の係止孔部１０３の内側に挿入される部分である。ロック部１３６は、可動部材１３０の下側Ｂ端部において、当該端部から上方向に所定の長さの範囲に形成される。また、ロック部１３６が形成される部分は、可動部材１３０の下側Ｂ端部から上側Ｔに向けて、可動部材１３０の外方（左右方向）へ向けて次第に凸となるように形成された爪の部分となる。
【００７１】
図１２を参照して可動部材１３０と固定部１３７について説明する。
【００７２】
固定部１３７は、固定部基部１３８と固定カバー１３９及び固定ネジ１４０より構成され、可動部材本体１３１の背面側Ｒに配置される。そして、固定部１３７は、可動部材１３０をフロントドア２の背面側Ｒにスライド可能に固定する。
【００７３】
固定部基部１３８は、フロントドア２の背面側Ｒにおいて突出するように形成される。固定部基部１３８は、可動部材本体１３１の内側に形成される空間よりも小さくなるように形成される。この、固定部基部１３８が可動部材本体１３１の内側を移動できる距離が、可動部材１３０が移動できる距離となる。この固定部基部１３８の左右方向の長さは、可動部材本体１３１の内側における左右方向の内寸と略同一である。したがって、固定部基部１３８は、可動部材本体１３１の内側を上下方向に移動できる。逆に言うと、可動部材１３０は、固定部基部１３８を中心に上下方向に直線状に移動する（スライドする）ことができる。また、固定部基部１３８の背面側Ｒの面は平面で形成され、略中央において固定ネジ１４０が螺合されるネジ穴１４１が形成されている。
【００７４】
固定カバー１３９は、固定部基部１３８及び可動部材本体１３１を左右方向（図９のＬ−Ｒ２方向）に覆うカバーである。固定カバー１３９の背面側Ｒは平面に形成され、略中央には、固定ネジ１４０が貫通する孔が形成される。そして、固定カバー１３９は、この孔を通して貫通する固定ネジ１４０により固定部基部１３８に固定される。
【００７５】
また、固定カバー１３９は、固定カバー１３９の側面において、前面側Ｆに向かう部分の長さが異なる。詳細には、固定カバー１３９における左側Ｌが右側Ｒ２よりも長くなるように形成される。固定カバー１３９の右側Ｒ２の側面は、可動部材本体１３１から延びる遮蔽部１３２があるためである。
【００７６】
可動部材１３０を固定部１３７により固定するには、以下のように行われる。
まず、可動部材１３０に固定部基部１３８を嵌め込むように、可動部材１３０をフロントドア２の背面側Ｒに配置する。詳細には、略楕円形状に形成された可動部材本体１３１の内側に、固定部基部１３８を嵌め込むように可動部材１３０を配置する。すると、固定部基部１３８の左側Ｌ及び右側Ｒ２に可動部材本体１３１の楕円形状の枠が位置することになる。
【００７７】
次に、固定カバー１３９を可動部材本体１３１と固定部基部１３８を覆うように配置する。そして、固定カバー１３９に形成された孔と固定部基部１３８に形成されたネジ穴１４１との位置を合わせ、ネジ穴１４１に固定ネジ１４０を螺合させて固定する。
これにより固定部１３７は、可動部材１３０を直接固定するのではなく、固定カバー１３９により間接的に固定する。このため、可動部材１３０をスライドさせることが可能となる。
【００７８】
図１３から図１５により、可動部材１３０の動きと突起部１０２の係止孔部１０３への係止との関係について説明する。
【００７９】
図１３から図１５は、いずれもフロントドア２の背面側Ｒに配置された可動部材１３０近辺の拡大斜視図である。図１３は、フロントドア２の前面側Ｆにフロントパネル８が取り付けられ、突起部１０２の係止孔部１０３が係止され、コネクタ部１０１に配線２００が接続可能な場合の図であり、図１４は、フロントドア２の前面側Ｆにフロントパネル８が取り付けられ、突起部１０２の係止孔部１０３が係止されて、コネクタ部１０１に配線２００が接続された場合の図である。図１５は、フロントドア２の前面側Ｆにフロントパネル８が取り付けられ、突起部１０２の係止孔部１０３の係止が解除された場合の図である。
【００８０】
図１３は、可動部材１３０が下側Ｂにスライドされた位置（第１の位置）にある状態を示している。つまり、フロントドア２の前面側Ｆにフロントパネル８が取り付けられ、コネクタ部１０１にフロントドア２に設けられた各種基板から延びる配線２００（図１４参照）を接続することができる状態を示している。
【００８１】
詳細には、まず、可動部材１３０の係止部１３３が、突起部１０２に略先端部分に設けられた係止孔部１０３を係止した状態となっている。この突起部１０２は、フロントパネル８がフロントドア２の前面側Ｆに取り付けられた場合に、フロントパネル８の背面側Ｒに形成された突起部１０２（図５参照）が第２開口部１１２を通ってフロントドア２の背面側Ｒに突出したものである。
【００８２】
そして、係止部１３３のロック部１３６がロック支持部１３５と共に係止孔部１０３の内側に挿入され、ロック部１３６は、突起部１０２より上側方向Ｔへの動きが規制されている。
【００８３】
なお、係止部１３３のロック部１３６を突起部１０２の係止孔部１０３に挿入する際には、係止部１３３の凸部１３４及び突起部１０２により、可動部材１３０が凸部１３４より下側Ｂへスライドすることが規制される。
【００８４】
また、可動部材１３０の係止部１３３により突起部１０２の係止孔部１０３が係止された状態となると、遮蔽部１３２の位置は、コネクタ部１０１よりも下側Ｂとなる。すると、遮蔽部１３２により覆われていたコネクタ部１０１がフロントドア２の背面側Ｒに露出した状態となる。そして、コネクタ部１０１には、フロントドア２に配置された各種基板から延びる配線２００が接続される（図１４参照）。
【００８５】
図１４は、コネクタ部１０１に配線２００が接続された場合を示す図である。
コネクタ部１０１に配線２００が接続可能な状態（図１３の状態）では、可動部材１３０の係止部１３３が突起部１０２の係止孔部１０３を係止すると共に、遮蔽部１３２が下方向Ｂに移動してコネクタ部１０１を露出させる（第２の状態）。この状態でコネクタ部１０１に配線２００が接続されると、接続された配線２００の下側Ｂに遮蔽部１３２が位置することとなる。
この場合、コネクタ部１０１に接続された配線２００を外さずに、係止部１３３と係止孔部１０３との係止を解除し、可動部材１３０を上方向Ｔに動かすことはできない。コネクタ部１０１に接続された配線２００に遮蔽部１３２が当接するため、可動部材１３０の上方向Ｔへの動きが規制されるからである。
【００８６】
また、フロントパネル８に形成された突起部１０２及び突起部１０２の係止孔部１０３は、第２開口部１１２を通ってフロントドア２の背面側Ｒに突出しており、また、係止孔部１０３が可動部材１３０の係止部１３３により係止されている。このため、このままの状態では、フロントドア２からフロントパネル８を取り外すことができない。
【００８７】
すなわち、コネクタ部１０１に接続された配線２００を外さなければ、可動部材１３０を移動させることができない。そして、可動部材１３０を移動させなければ突起部１０２の係止孔部１０３と可動部材１３０の係止部１３３との係止を解除することができない。よって、コネクタ部１０１に接続された配線２００を外さなければ、フロントパネル８をフロントドア２から外すことができない。逆に言うと、配線２００を外さずに誤ってフロントドア２からフロントパネル８を外すことを防止することができる。また、配線２００を外さずに誤ってフロントドア２からフロントパネル８を外してしまうことにより、配線２００が断線してしまうことを防止することができる。
【００８８】
次に、図１５を用いて可動部材１３０が上側Ｔへスライドされた状態への移行を説明する。
【００８９】
まず、コネクタ部１０１に接続されている配線２００を取り外す。これにより、遮蔽部１３２が上方Ｔへ移動することが可能となる。
【００９０】
次に、突起部１０２の係止孔部１０３と可動部材１３０の係止部１３３との係止を解除する。係止を解除するには、凸部１３４に対して矢印Ｑ方向へ向けて圧力をかける。すると、互いに略平行に離間しているロック部１３６間の距離が近くなるように移動する。これにより、ロック部１３６の左右方向外方側が係止孔部１０３を通過可能となり、このまま上側Ｔ（矢印Ｐ方向）へ向けて可動部材１３０を移動させることができる。
【００９１】
可動部材１３０を上側Ｔへ向けて移動させると、図１５に示す位置（第２の位置）となる。可動部材１３０がこの第２の位置となるとフロントドア２からフロントパネル８を取り外すことが可能となる。このとき、凸部１３４及びロック支持部１３５は弾性を有しているので、矢印Ｑ方向への圧力から開放されると、その弾性により元の状態に戻る。
【００９２】
詳細には、可動部材本体１３１から延びる遮蔽部１３２が第１開口部１１１の一部分を覆っている状態となっている。そして、第１開口部１１１には、フロントパネル８の背面側Ｒに設けられたコネクタ部１０１が遮蔽部１３２の前面側Ｆに配置された状態となっている。フロントドア２の背面側Ｒから見ると、コネクタ部１０１は遮蔽部１３２により覆われた状態となっている。このため、この状態では、コネクタ部１０１にはフロントドア２の背面側Ｒから配線２００を接続することはできない。
【００９３】
また、突起部１０２の被係止部である係止孔部１０３は、可動部材１３０の係止部１３３による係止が解除された状態となっている。
【００９４】
そして、フロントドア２の前面側Ｆに取り付けられたフロントパネル８を更に前面側Ｆにスライドさせることにより、第２開口部１１２から突起部１０２を引き抜くことができる。また、フロントドア２の前面側Ｆに形成されたスリット部１２１と、フロントパネル８の背面側Ｒに形成されたフック部６１との係合を解除する（図８、図９参照）。これにより、フロントドア２からフロントパネル８を安全に取り外すことができる。
【００９５】
本実施形態によれば、フロントパネル８の背面側Ｒにフック部６１を備え、またフロントドア２の前面側Ｆであってフック部６１に対向する位置にスリット部１２１を備えた。これにより、フック部６１とスリット部１２１とを係合させて、フロントドア２にフロントパネル８を固定することができる。フロントドア２にフロントパネル８を固定する際に工具や部材を用意する必要が無く、簡便かつ迅速にフロントパネル８を取り外すことが可能となる。
【００９６】
本実施形態によれば、フロントパネル８の背面側Ｒに、被係止部となる係止孔部１０３を有する突起部１０２と、フロントドア２から延びる配線２００を接続するコネクタ部１０１とを備え、また、フロントドア２の背面側Ｒに可動部材１３０を備え、フロントドア２には、コネクタ部１０１を露出させる第１開口部と突起部１０２を通す第２開口部１１２とを備えた。そして、フロントドア２の背面側Ｒで可動部材１３０の係止部１３３と突起部１０２の係止孔部１０３とを係止させると、可動部材１３０の遮蔽部１３２が下側Ｂに移動して第１開口部１１１からコネクタ部１０１を露出させた状態となる。この状態でコネクタ部１０１にフロントドア２から延びる配線２００を接続させる。すると、配線２００に遮蔽部１３２が当接して可動部材１３０の動きを規制する。また、この状態では、可動部材１３０の係止部１３３が突起部１０２の係止孔部１０３を係止しているので、突起部１０２の前面側Ｆへの移動が規制される。
【００９７】
これにより、フロントパネル８をフロントドア２から取り外す際には、コネクタ部１０１に接続された配線２００を外すという作業を作業者もさせるように促すことができる。また、作業者に対しても、予め外すべき配線２００が明確にすることができる。また、作業者が配線２００の接続を解除してからフロントパネル８を取り外すことを失念することを防止し、作業の確実性を向上させることができる。
【００９８】
以上、本発明に係るゲームミングマシンの実施形態を説明したが、具体例を例示したにすぎず、特に本発明を限定するものではなく、各手段等の具体的構成は、適宜設計変更可能である。また、本発明の実施形態に記載された効果は、本発明から生じる最も好適な効果を列挙したに過ぎず、本発明による効果は、本発明の実施形態に記載されたものに限定されるものではない。
【００９９】
本実施形態においては、フック部６１は、先端が下方向Ｂへ向けて曲線状に曲がるような形状であるとしたが、これに限らない。例えば、フック曲部６３がそれぞれ直角に曲がるように形成されていてもよく、スリット部１２１と係合可能な形状であってよい。また、フック部６１とスリット部１２１の被係合部１２３がそれぞれ突起状の凹凸でかみ合うよう２形成されていてもよい。また、被係合部１２３は、スリット部１２１のスリット１２２よりも前面側Ｆであるとしたがこれに限らず、スリット１２２と同一面であってもよく、また、スリット１２２よりも背面側Ｒであってもよい。
【０１００】
本実施形態においては、フック部６１は右側Ｒ２と左側Ｌにそれぞれ２カ所ずつ計４カ所形成されるとしたがこれに限らない。少なくとも１カ所以上備えていればよい。フック部６１を１カ所とする場合には、突起部１０２が形成される位置と略対角線上に設けることが好ましい。若しくは、突起部１０２を複数箇所設けてもよい。フック部６１及びスリット部１２１の数と位置は、必要に応じて変更することができる。
【０１０１】
本実施形態においては、可動部材１３０は、上下方向に直線状に移動すると記載したがこれに限らない。例えば、固定部１３７を中心に回転するようにしてもよい。
【０１０２】
本実施形態においては、可動部材１３０の可動部材本体１３１は、略楕円状であるとしたがこれに限らず、矩形状であってもよい。
【符号の説明】
【０１０３】
１  パチスロ
２  フロントドア
１０１  コネクタ部
１０２  突起部
１０３  係止孔部
１１１  第１開口部
１１２  第２開口部
１３０  可動部材
１３１  可動部材本体
１３２  遮蔽部
１３３  係止部
１３７  固定部
１３８  可動部材本体
１３９  固定カバー
１４０  固定ネジ
１４１  ネジ穴
２００  配線
【図１】
2010005381.tif 000003
【図２】
2010005381.tif 000004
【図３】
2010005381.tif 000005
【図４】
2010005381.tif 000006
【図５】
2010005381.tif 000007
【図６】
2010005381.tif 000008
【図７】
2010005381.tif 000009
【図８】
2010005381.tif 000010
【図９】
2010005381.tif 000011
【図１０】
2010005381.tif 000012
【図１１】
2010005381.tif 000013
【図１２】
2010005381.tif 000014
【図１３】
2010005381.tif 000015
【図１４】
2010005381.tif 000016
【図１５】
2010005381.tif 000017